(57)【要約】      （修正有）【課題】使用に関する情報を日本語の理解が十分でない使用者に対しても知らしめることができるパレットおよび筆洗バケツを提供する。【解決手段】絵具を色別に収容する絵具収容凹部２６を複数備えたパレット１０は、表示シート４２を備えており、表示シート４２によりこれら複数の絵具収容凹部２６に収容される絵具の色情報を、絵具収容凹部２６に対応して表示する。表示シート４２では、絵具の色情報が、日本語と、日本語とは異なる第２の言語との併記により表示されている。【選択図】図１
0003211719.tif 000002
【実用新案登録請求の範囲】
【請求項１】
絵画の作製に用いられる画材用具であって、該画材用具の使用に関する情報が、日本語と、日本語とは異なる第２の言語との併記により表示された情報表示部を備えていることを特徴とする画材用具。
【請求項２】
前記第２の言語が英語であることを特徴とする請求項１に記載の画材用具。
【請求項３】
前記画材用具が絵具を色別に収容する絵具収容凹部を複数備えたパレットであって、
前記情報表示部は、これら絵具収容凹部に収容される絵具の色情報を、それぞれの前記絵具収容凹部に対応して表示していることを特徴とする請求項１，２の何れか１項に記載の画材用具。
【請求項４】
前記情報表示部を前記パレットに貼着させた1枚のシートで構成したことを特徴とする請求項３に記載の画材用具。
【請求項５】
前記画材用具が複数の貯水槽を備えた筆洗バケツであって、
前記情報表示部は、これら貯水槽の使い分けに関する情報を、それぞれの前記貯水槽に対応して表示していることを特徴とする請求項１，２の何れか１項に記載の画材用具。
【請求項６】
前記情報表示部を前記貯水槽の底面に設けたことを特徴とする請求項５に記載の画材用具。
【考案の詳細な説明】
【技術分野】
【０００１】
この考案は画材用具に関し、特に画材用具の使用に関する情報を表示する情報表示部を備えた画材用具に関する。
【背景技術】
【０００２】
下記特許文献１では、図画工作の授業において、絵具、絵筆、パレット等の画材用具の取扱いを指導する際、児童によってパレット上にしぼり出す絵具の色の配置がばらばらになってしまうことを防止するため、パレット上に複数設けられた絵具収容凹部毎に、収容される絵具の色を教示する色指標を設けた点が開示されている。
【先行技術文献】
【特許文献】
【０００３】
【特許文献１】実開平７−３７７００号公報
【考案の概要】
【考案が解決しようとする課題】
【０００４】
パレットや筆洗バケツのような画材用具の取扱いにおいては、パレット上にしぼり出す絵具の色の配置や筆洗いに用いる貯水槽の使い分けが重要であり、図画工作の授業においてはこれらの情報をそれぞれの児童に知らしめる必要がある。しかしながら、学校に在籍する児童のなかには外国人児童など、日本語の理解が十分でない児童も多く存在しているため、画材用具の使用に関する情報を日本語のみで表示しただけでは、十分な効果が得られない。
【０００５】
この考案は、上述した問題を解決するものであり、画材用具の使用に関する情報を日本語の理解が十分でない使用者に対しても知らしめることができる画材用具を提供することを目的とする。
【課題を解決するための手段】
【０００６】
本考案は、絵画の作製に用いられる画材用具であって、該画材用具の使用に関する情報が、日本語と、日本語とは異なる第２の言語との併記により表示された情報表示部を備えていることを特徴とする。本考案の画材用具によれば、日本語の理解が十分でない児童（使用者）に対しても第２の言語による表示に基づいて、画材用具の使用に関する情報を知らしめることができる。
【０００７】
ここで、本考案の画材用具では前記第２の言語を英語とすることができる。
【０００８】
本考案では、前記画材用具が絵具を色別に収容する絵具収容凹部を複数備えたパレットである場合、前記情報表示部では、これら絵具収容凹部に収容される絵具の色情報を、それぞれの前記絵具収容凹部に対応して表示することができる。このようにすれば、日本語の理解が十分でない児童に対してもパレット上にしぼり出す絵具の色の配置を知らしめることができる。
【０００９】
ここで、前記情報表示部を前記パレットに貼着させた1枚のシートで構成することができる。パレット上にしぼり出す絵具の色の名称及び配置は、使用する絵具セットにおける名称及び配置と一致させることが望ましいが、これらは絵具メーカによっても異なる場合がある。本考案に従って情報表示部を1枚のシートで構成すれば、かかるシートを変更することで、色の名称及び配置の変更にもパレット製造段階で容易に対応することができる。
【００１０】
本考案ではまた、前記画材用具が複数の貯水槽を備えた筆洗バケツである場合、前記情報表示部では、これら貯水槽の使い分けに関する情報を、それぞれの前記貯水槽に対応して表示することができる。このようにすれば、複数の貯水槽の使い分けについての情報を日本語の理解が十分でない児童に対しても知らしめることができる。
【００１１】
ここで、前記情報表示部を前記貯水槽の底面に設けることができる。各貯水槽の底面であれば比較的広いスペースを確保することができるため、情報表示部で示す内容を大きく表示して視認性を高めることができる。また、情報表示部を貯水槽の底面と一体に成形することで、情報表示部を追加したことによる製造コストの増加も抑制することができる。
【図面の簡単な説明】
【００１２】
【図１】本考案の一実施形態のパレットを示した図で、（Ａ）は平面図、（Ｂ）は側面図である。
【図２】図１のパレットにおける第１パレット板及び表示シールを分離して示した図である。
【図３】同実施形態の要部を拡大して示した図である。
【図４】本考案の他の実施形態の筆洗バケツの平面図である。
【図５】図４の筆洗バケツの一部を切り欠いて示した側面図である。
【図６】図４のVI−VI断面図である。
【考案を実施するための形態】
【００１３】
以下、本考案の一実施形態を図面に基づいて説明する。
図１において、１０は画材用具としての折り畳み式のパレットで、それぞれ合成樹脂から成る第１パレット板１３及び第２パレット板１４がヒンジ部１６にて回動自在に連結されている。図１は、第１パレット板１３と第２パレット板１４とが開いた開状態を表している。同図において第１パレット板１３及び第２パレット板１４の、ヒンジ部１６とは反対側のそれぞれの端部には係合凸部１８及び係合凹部１９が設けられており、ヒンジ部１６を中心に第１パレット板１３若しくは第２パレット板１４を閉方向に回転させると、係合凸部１８と係合凹部１９とが係合し閉状態が維持される。
【００１４】
図１，２に示すように、第１パレット板１３の長手方向の中央且つ基端側（ヒンジ部１６側）の位置には、板厚方向に貫通する楕円形状の指挿入穴２２が形成され、その左右方向には滑り止め用の複数の突条２４が形成されている。
【００１５】
一方、第１パレット板１３の、ヒンジ部１６とは反対側の先端側には、しぼり出された絵具を収容するための複数（ここでは１２箇所）の絵具収容凹部２６が第１パレット板１３の長手方向１列に配置されている。絵具収容凹部２６は、図中左端に配置された白色用の大きな収容凹部２６ａと、それ以外の色を収容するための小さな収容凹部２６ｂとで構成されている。これら収容凹部２６ａ，２６ｂは、それぞれの先端側の縁が略一直線上となるよう図中上下方向の位置が揃えられており、これら収容凹部２６ａ，２６ｂの更に先端側には、後述する情報表示部としての表示シート４２が貼着されている。
【００１６】
絵具収容凹部２６の図中下側となる、第１パレット板１３の中央部には、絵具収容凹部２６よりも平面視で広い範囲に亘って凹まされた調色部２８，２９，３０が隣接して設けられている。また、第２パレット板１４には全体を３等分した調色部３３，３４，３５が設けられている。各パレット板に設けられた調色部２８，２９，３０及び３３，３４，３５では、絵具収容凹部２６にしぼり出された絵具の濃度調整や、異なる色の絵具を混ぜ合わせ色相の調整が行なわれる。
【００１７】
尚、第１パレット板１３の収容凹部２６ａの下方に設けられた凹部３７，３８，３９は予備用の凹部である。
【００１８】
図２に示すように、一列に配置された絵具収容凹部２６の先端側には、周辺の平坦面よりも１ｍｍほど凹まされたシート貼着用凹部４０が、図中左右方向に長く形成され、このシート貼着用凹部４０には、シート貼着用凹部４０とほぼ同形状の表示シート４２が接着剤を介して貼着されている。
【００１９】
表示シート４２は、第１パレット板１３とは別体をなす樹脂製（若しくは紙製）のシートで、第１パレット板１３に形成された絵具収容凹部２６の幅に対応して、長手方向に１２箇所の表示領域４３が設けられており、それぞれの表示領域４３では、対応する絵具収容凹部２６に収容される絵具の色情報が、日本語及び英語により表示されている。尚、本例の表示シート４２では、それぞれの表示領域４３における地の部分が、日本語及び英語で示された色で着色されている。
【００２０】
以上のように構成された本実施形態のパレット１０は、それぞれの絵具収容凹部２６に収容される絵具の色情報が表示された表示シート４２を備えており、かかる表示シート４２に表示された情報に基づいて、使用者はそれぞれの絵具収容凹部２６に収容すべき絵具の色を認識することができる。特に表示シート４２では、日本語と英語の併記により、絵具の色情報を表示しているため、日本語の理解が十分でない使用者に対してもそれぞれの絵具収容凹部２６にしぼり出す絵具の色の配置を知らしめることができる。
【００２１】
本実施形態では、情報表示部をパレット１０に貼着させた1枚の表示シート４２で構成しているため、色の名称及び配置を変更する場合でも、表示シート４２を異なる内容のものに変更するだけで容易に対応することができる。
【００２２】
次に本考案の他の実施形態について説明する。
図４において、５０は、画材用具としての筆洗バケツで、樹脂製の容器本体５２と、容器本体５２とは別体をなした樹脂製の取手部５４とを有している。容器本体５２は、平面視でその周縁部５３が長方形状を成しており、容器本体５２の内部は仕切り壁５６ａ，５６ｂ，５６ｃによって区画され、大きさの異なる４つの貯水槽５８，５９，６０，６１が形成されている。長手方向に延びる仕切り壁５６ａの中央部には、容器本体５２に対し上下方向にスライド移動可能に取手部５４が取り付けられている。
【００２３】
長手方向の開口幅が最も大きい貯水槽５８は、折り畳まれた状態の前述のパレット１０や絵具セット等、比較的大きな画材用具をその槽内に収容可能な大きさとされている。貯水槽５８の底面５８ａには、平面視丸形状の複数の突部６６及び貯水槽５８の短手方向に直線状に延びる複数の突部６８が形成されており、筆洗いの際にはこれら突部６６，６８に筆の穂先部分をこすり付けることにより効率的に絵具の洗い落としを行うことができる。
【００２４】
仕切り壁５６ａ，５６ｂ，５６ｃにて構成された貯水槽５９，６０，６１の開口縁部には、複数の小さな突片からなるしごき部７０が形成されており、筆の穂先に保持された水を効率的にしごき落とすことができる。また、貯水槽５９，６１の開口縁部には、穂先を槽内に浸けた状態の筆を立て掛けておくための凹所７１が形成されている。容器本体５２の周縁部５３に形成された湾曲状の凹所６２は、貯水槽を跨いで筆を横置きするための筆置き部である。
【００２５】
筆洗バケツ５０の各貯水槽に溜めた水は、筆洗いのほか、穂先に水を含ませて絵具の色を薄める目的でも使用される。各貯水槽に溜めた水を効率的に使用するためには各貯水槽毎に使用目的を予め規定しておき貯水槽の使い分けを行うことが望ましい。
本例では、図４で示すように、貯水槽の使い分けに関する情報を表示する情報表示部を各貯水槽の底面に設けている。具体的には、最も大きい貯水槽５８の底面５８ａに情報表示部７８を設け「あらう（１）」と「ＷＡＳＨ」を併記し、図中左上に位置する貯水槽５９の底面５９ａに情報表示部７９を設け「すすぐ（２）」と「ＲＩＮＳＥ」を併記している。また、貯水槽５９の隣に位置する貯水槽６０の底面６０ａに情報表示部８０を設け「すすぐ（３）」と「ＲＩＮＳＥ」を併記し、さらに貯水槽６０の隣に位置する貯水槽６１の底面６１ａに情報表示部８１を設け「つける（４）」と「ＳＯＡＫ」を併記している。これらの表示は容器本体５２を成形する際、各貯水槽の底部と一体で成形させておくことができる。
【００２６】
尚、貯水槽の底面に設けた表示は、視線の角度によっては視認できない場合もあるため、本例では、各貯水槽と接する容器本体５２の周縁部５３の上面に情報表示部８８，８９，９０，９１も設け、情報表示部７８，７９，８０，８１と同様の、貯水槽の使い分けに関する情報を表示している。
【００２７】
以上のように構成された本実施形態の筆洗バケツ５０では、情報表示部７８，７９，８０，８１及び８８，８９，９０，９１を設け、貯水槽の使い分けに関する情報を各貯水槽に対応して表示している。このため使用者は筆洗いの際、貯水槽の使用順が５８→５９→６０→６１であることを認識することができる。特に本例の情報表示部では、日本語と英語の併記により、貯水槽の使い分けに関する情報を表示しているため、日本語の理解が十分でない使用者に対しても貯水槽の使用順を知らしめることができる。
【００２８】
本実施形態では、情報表示部７８，７９，８０，８１を貯水槽の底面に設けている。各貯水槽の底面であれば比較的広いスペースを確保することができるため、これら情報表示部で示す内容を大きく表示して視認性を高めることができる。また、情報表示部を貯水槽の底面と一体に成形することで、情報表示部を追加したことによる製造コストの増加も抑制することができる。
【００２９】
以上本考案の実施形態を詳述したがこれはあくまで一例示である。上記実施形態では第２の言語を英語としたが英語以外の言語を用いて表示することも可能である等、本考案はその趣旨を逸脱しない範囲において種々変更を加えた態様で実施可能である。
【符号の説明】
【００３０】
１０  パレット（画材用具）
２６，２６ａ，２６ｂ    絵具収容凹部
４２  表示シート（情報表示部）
５０  筆洗バケツ（画材用具）
５８，５９，６０，６１  貯水槽
５８ａ，５９ａ，６０ａ，６１ａ  底面
７８，７９，８０，８１，８８，８９，９０，９１  情報表示部
【図１】
0003211719.tif 000003
【図２】
0003211719.tif 000004
【図３】
0003211719.tif 000005
【図４】
0003211719.tif 000006
【図５】
0003211719.tif 000007
【図６】
0003211719.tif 000008
【手続補正書】
【提出日】平成29年5月25日(2017.5.25)
【手続補正１】
【補正対象書類名】実用新案登録請求の範囲
【補正対象項目名】全文
【補正方法】変更
【補正の内容】
【実用新案登録請求の範囲】
【請求項１】
絵具を色別に収容する絵具収容凹部を複数備えたパレットであって、
これら絵具収容凹部に収容される絵具の色情報を、それぞれの前記絵具収容凹部に対応して表示する情報表示部を備え、該情報表示部では、前記色情報が日本語と、日本語とは異なる第２の言語との併記により表示されていることを特徴とするパレット。
【請求項２】
前記情報表示部を前記パレットに貼着させた1枚のシートで構成したことを特徴とする請求項１に記載のパレット。
【請求項３】
前記第２の言語が英語であることを特徴とする請求項１，２の何れか１項に記載のパレット。
【請求項４】
複数の貯水槽を備えた筆洗バケツであって、
これら貯水槽の使い分けに関する情報を、それぞれの前記貯水槽に対応して表示する情報表示部を備え、該情報表示部では、前記情報が日本語と、日本語とは異なる第２の言語との併記により表示されていることを特徴とする筆洗バケツ。
【請求項５】
前記情報表示部を前記貯水槽の底面に設けたことを特徴とする請求項４に記載の筆洗バケツ。
【請求項６】
前記第２の言語が英語であることを特徴とする請求項４，５の何れか１項に記載の筆洗バケツ。
【手続補正３】
【補正対象書類名】明細書
【補正対象項目名】０００１
【補正方法】変更
【補正の内容】
【０００１】
この考案はパレットおよび筆洗バケツに関し、特にこれら画材用具の使用に関する情報を表示する情報表示部を備えたパレットおよび筆洗バケツに関する。
【手続補正４】
【補正対象書類名】明細書
【補正対象項目名】０００６
【補正方法】変更
【補正の内容】
【０００６】
本考案は、絵画の作製に用いられる画材用具（具体的にはパレットおよび筆洗バケツ）であって、該画材用具の使用に関する情報が、日本語と、日本語とは異なる第２の言語との併記により表示された情報表示部を備えていることを特徴とする。本考案によれば、日本語の理解が十分でない児童（使用者）に対しても第２の言語による表示に基づいて、画材用具の使用に関する情報を知らしめることができる。